(57)【要約】      （修正有）【課題】ノ−トパソコンおよびＵＳＢが外部から輻射熱・熱・空気・水など影響を受けず半永久に保存可能とするための収納室付墓碑銘を提供する。【解決手段】収納室は，アクリル板状部材で外板と内板を２重成形構造とし真空にして，熱を遮断・断熱する。ノ−トパソコンおよびＵＳＢを湿度から保護するためラップフイルム内に収納する。ノ−トパソコンおよびＵＳＢを出し入れするため上板５・下板６に開口部を設け収納カバ−７は，Ｏリング９を介し六角穴付ボルト１０で螺着する。収納室の外部は，花崗岩または，磁器・セラミック成形品のフランジ付本体１４およびフランジカバ−１５を設け，内側に薄い輻射熱・断熱シ−ト１６を接着剤で張り付ける。墓碑銘はアンカ−ボルト１９とナット２０にて、墓地に設置する。【選択図】図１
2019100171.tif 000002
【特許請求の範囲】
【請求項１】
少なくとも正面図が略矩形であるノ−トパソコンおよびＵＳＢを納めた収納室付墓碑銘であって，アクリル板状部材（厚さ４〜６ｍｍ）で外板と内板を２重成形構造としその空間を真空にして，輻射熱および熱の遮断・断熱とする。また，前記真空空間には補強材（厚さ４〜６ｍｍ）で補強したことを特徴とする墓碑銘。
【請求項２】
前記ノ−トパソコンおよびＵＳＢを湿度から保護するためラップフイルム袋内に収納し真空としたことを特徴とする請求項１に記載の墓碑銘。
【請求項３】
本体フランジ付およびフランジカバ−は，花崗岩または，磁器・セラミック成形品であることを特徴とする請求項１に記載の墓碑銘。
【請求項４】
収納室外側表面と本体フランジ付およびフランジカバ−の間には，薄い遮断・断熱シ−トを設け輻射熱・熱（寒・暖）から保護することを特徴とする請求項１に記載の墓碑銘。
【請求項５】
前記収納室収納カバ−およびフランジカバ−を取り外し内部のノ−トパソコンおよびＵＳＢの出し入れを可能とし，さらに，Ｏリングを介し六角穴付ボルトとナットで螺着することにより外部からの熱・空気・水などを遮断することを特徴とする請求項１に記載の墓碑銘。
【発明の詳細な説明】
【技術分野】
【０００１】この発明は，薄型・ノ−トパソコンおよびＵＳＢなどを納めた収納室付墓碑銘に関するものである。
【背景技術】
【０００２】従来，墓碑銘は花崗岩または，基板等に刻まれた銘文・写真なぞで故人を偲ぶものとなっている。
【先行技術文献】
【特許文献】
【０００３】
【特許文献１】特開２００１−１８２３８０号公報
【特許文献２】特開２００３−２２１９４５号公報
【発明の概要】
【発明が解決しようとする課題】
【０００４】これは，次のような欠点があつた。
従来，墓碑銘に対する銘文・写真・銘板・無線通信方法では，故人の一部分を伝えるだけでは不十分である。
本発明は，以上のような欠点をなくすためになされたものである。
【課題を解決するための手段】
【０００５】本発明に係る収納室３は，外部からの熱の遮断・断熱とするため，アクリル板状部材（厚さ４〜６ｍｍ）４で２重成形構造とし，外板４と内板４との空間（約４〜６ｍｍ）２を真空とする。さらに，湿度から保護するため，ラップフイルム袋にノ−トパソコンおよびＵＳＢ１を収納し，真空パック器で内部を真空とする。
本発明は，以上の構成よりなるノ−トパソコン収納室付墓碑銘である。
【発明の効果】
【０００６】これにより本発明に係る収納室３に納められたノ−トパソコンおよびＵＳＢ１により次のことが言える。
（イ）エンディングノートを作成し故人の遺志が伝えられる。
（ロ）ＵＳＢは，生存中に何回でも取り出し再生可能である。
【図面の簡単な説明】
【０００７】
【図１】本発明の正面Ａ〜Ａ断面図である。
【図２】同図１の内部側面Ｂ〜Ｂ断面図である。
【図３】同図１の外部フランジ付本体およびフランジ付カバ−のＣ〜Ｃ正面図および断面図である。
【図４】同図１の内部収納室開口板平面およびＤ〜Ｄ断面図である。
【図５】同図１の内部収納室カバ−板正面およびＥ〜Ｅ断面図である。
【図６】同図１の真空空間補強材の側面部並びに正面部および上・下部面のＦ〜Ｆ断面図である。
【発明を実施するための形態】
【０００８】以下本発明を実施するための形態について説明する。
まず，本実施するための形態に係る収納室３およびノ−トパソコンおよびＵＳＢ１との係りについて図１，図２，図３，図４，図５，図６を参照して説明する。
本発明に係る正面図が略矩形である収納室３は，アクリル板状部材（厚さ４〜６ｍｍ）４で２重成形構造とし，成形部分の接点は，溶接・接着剤で結合する。また，ノ−トパソコンおよびＵＳＢ１出し入れ用の（厚さ４＋４合計８ｍｍ）上・下板５・６には開口部があり，上板５にはＭ５ボルト１０のネジ切りがあり，ネジ切りのない下板（厚さ４ｍｍ）６とは接着剤で結合し２重成形構造の接点は，溶接にて結合する。収納室内部（厚さ２５〜３０ｍｍ）３の周囲には，ノ−トパソコンおよびＵＳＢ１の衝撃を和らげるため断熱材（厚さ５〜１０ｍｍ）８を施した。また，アクリル板状部材（厚さ４ｍｍ）収納室カバ−７はＯリング９で密着し六角穴付ボルトＭ５（１０）を１０ケ所設け前記開口板５・６に螺着する。また，２重成形構造の外板４には，真空バルブ１１を取り付ける。
さらに，強度および外観上収納室３上・下にアクリルパイプ６０Φ１２を溶接にて結合する。
真空空間２には，真空に耐えうるための補強材１３ａ・ｂを設ける。
内部２重成形構造の外部は，輻射熱・空気・熱・水なぞの影響を受けないよう花崗岩または，磁器・セラミックで成形されたフランジ付本体１４およびフランジカバ−１５で補う。また，ノ−トパソコンおよびＵＳＢ１を出し入れした後外部からの熱・空気・水などを遮断するため前記フランジ部にＯリング９を介し，六角穴付ボルト１７とナット１８で螺着する。
さらに，フランジ本体１４およびフランジカバ−１５の内側に外部からの輻射熱・熱などを保護するために，薄い（厚さ３〜５ｍｍ）遮断・断熱シ−ト１６を接着剤で張り付ける。
また，本発明の墓碑銘は墓地に設置することから基礎台にアンカ−ボルト１９をナット２０にて螺着する。
本発明は，以上のような構造である。
以上，実施するための形態について詳細に説明したが，本発明はこのような実施例に限定されるのではなく，細部の構成，形状，素材，数量などにおいて本発明の要旨を逸脱しない範囲で任意に変更，追加，削除することができる。
【符号の説明】
【０００９】１  ノ−トパソコンおよびＵＳＢ
２  真空空間
３  収納室
４  板状部材（アクリル）
５  開口部上板（アクリル）
６  〜同上〜下板（アクリル）
７  収納カバ−（アクリル）
８  断熱材
９  Ｏリング
１０六角穴付きボルトＭ５
１１真空バルブ
１２パイプ６０Φ（アクリル）
１３補強材ａ（側・正面部）
〜同上〜ｂ（上・下部）
１４フランジ付本体（花崗岩または，磁器・セラミック）
１５フランジカバ−（      〜同上〜      ）
１６遮断・断熱シ−ト（アルミシ−ト＋断熱材）
１７六角穴付ボルトＭ５
１８同上ナット
１９アンカ−ボルト
２０同上ナット
２１ボルト穴      ２２Ｏリング溝      ２３貫通穴
【図１】
2019100171.tif 000003
【図２】
2019100171.tif 000004
【図３】
2019100171.tif 000005
【図４】
2019100171.tif 000006
【図５】
2019100171.tif 000007
【図６】
2019100171.tif 000008